(57)【要約】【課題】落下等の衝撃を受けてラッチピンが持ち上がることがあっても押えばねの塑性変形を防止でき、カード挿入、排出操作への影響を受けにくく、耐衝撃性を向上する。【解決手段】ラッチピン５をカム溝３ａに付勢する押さえバネ２ａは、基端部２ｅと自由端部２ｆとを有し、基端部２ｅはラッチピン５と離間して設けられた支持部材２に固定され、自由端部２ｆはラッチピン５を付勢しており、ラッチピン５が支持部材２に近接する方向に持ち上がったときにラッチピン５が押さえバネ２ａの基端部２ｅを塑性変形させないように、基端部２ｅに逃げ部が設けられていることを特徴とするカード用コネクタ。【選択図】図３
2012164504.tif 000002
【特許請求の範囲】
【請求項１】
接続対象物を収容するハウジングと、
前記ハウジングに接続対象物を装着する方向と接続対象物を排出する方向とに移動可能なスライド部材と、
前記スライド部材を排出方向に付勢する付勢部材と、
前記付勢部材の付勢力に抗して前記スライド部材を接続対象物装着位置に選択的に保持するロック機構とを有し、
該ロック機構は、前記スライド部材に設けられたカム溝と、一端側が前記カム溝内のロック位置と解除位置とに移動し他端側が前記ハウジングに軸支されたラッチピンと、前記ラッチピンを前記カム溝に付勢する押さえバネとを備えてなるカード用コネクタにおいて、
前記押さえバネは、基端部と自由端部とを有し、前記基端部は前記ラッチピンと離間して設けられた支持部材に固定され、前記自由端部は前記ラッチピンを付勢しており、前記ラッチピンが前記支持部材に近接する方向に持ち上がったときに前記ラッチピンが前記押さえバネの前記基端部を塑性変形させないように、前記基端部に逃げ部が設けられていることを特徴とするカード用コネクタ。
【請求項２】
前記押さえバネは片持ちの板バネからなり、該板バネの支持側である前記基端部を前記ラッチピンの前記他端側に設け、該板バネの前記自由端部を前記ラッチピンの前記一端側に向けたことを特徴とする請求項１に記載のカード用コネクタ。
【請求項３】
前記支持部材の一部により前記板バネを形成したことを特徴とする請求項２に記載のカード用コネクタ。
【請求項４】
前記逃げ部は前記板バネの前記基端部に隣接する開口からなることを特徴とする請求項２または３に記載のカード用コネクタ。
【請求項５】
前記逃げ部は前記板バネの前記基端部に開口した穴であることを特徴とする請求項２または３に記載のカード用コネクタ。
【請求項６】
前記ラッチピンの持ち上がりを規制するストッパーを、前記板バネの前記基端部と前記ラッチピンとの中間に設けたことを特徴とする請求項４または５に記載のカード用コネクタ。
【請求項７】
前記ラッチピンの他端側の持ち上がりを前記ストッパーで規制し、前記ラッチピンの一端側の持ち上がりを前記支持部材の一部で規制することを特徴とする請求項６に記載のカード用コネクタ。
【請求項８】
前記ストッパーは前記支持部材の一部により形成されていることを特徴とする請求項７に記載のカード用コネクタ。
【請求項９】
前記ストッパーは前記逃げ部に突出して設けられていることを特徴とする請求項８に記載のカード用コネクタ。
【請求項１０】
前記支持部材は前記ハウジングと係合するカバーであることを特徴とする請求項１から９のいずれか一項に記載のカード用コネクタ。
【請求項１１】
前記スライド部材が前記接続対象物装着位置に保持されているとき、前記接続対象物が前記スライド部材に保持されていることを特徴とする請求項１から１０のいずれか一項に記載のカード用コネクタ。
【発明の詳細な説明】
【技術分野】
【０００１】
本発明は、カード用コネクタに関し、特に、記憶装置や制御装置として用いられる着脱式の小型カードに対応するカード用コネクタに関する。
【背景技術】
【０００２】
従来のカード用コネクタは、例えば、特許文献1に開示される構成が知られている。
このようなカード用コネクタでは、カードを保持しカードの挿排方向に移動可能なスライド部材にハートカム溝を設け、板バネでラッチピンをハートカム溝底部方向に付勢し、ラッチピンの他端側がホルダーに保持されながらラッチピンの一端側が該ハートカム溝内のロック位置と解除位置とに移動することにより、スライド部材をカード装着位置に選択的に保持する構造のカード挿排機構を有している。
【０００３】
近年、カード用コネクタを採用する製品分野が拡大し、デジタルスチルカメラや携帯電話機等の、手軽に持ち運びができる携帯機器にもカード用コネクタが多用される様になった。これらの携帯機器ではカード用コネクタには薄型化、軽量化が求められる一方で、使用者が製品を落下させてしまう可能性があることから、強い耐衝撃性が求められることが多い。
【０００４】
カード用コネクタが組み込まれた製品が落下した場合、カード用コネクタには強い衝撃が加わり、特にカードを装着しロック位置に保持された状態で強い衝撃が加わると、落下の方向によってはカードが排出方向の大きな衝撃力を受ける場合がある。
【０００５】
従来のカード用コネクタでは、カードに排出方向の非常に大きな衝撃力が加わると、以下のような現象によりカード挿排機構が損傷する可能性があった。
図１１は従来技術に関わるカード用コネクタのラッチピンを付勢する板バネ部１０２ａ付近を示す外観斜視図である。
また、図１２は図１１のＡ−Ａ断面図で、図１２（ａ）はスライド部材１０３がロック位置に保持されている状態を示し、図１２（ｂ）はスライド部材１０３がロック位置に保持されている状態で、ラッチピン１０５の両端に圧縮する方向の力がかかり、ラッチピン１０５が撓みハートカム溝１０３ａから持ち上がった状態を示す。
【０００６】
スライド部材１０３がロック位置にあるときは、図１２（ａ）に示すように、板バネ部１０２ａの自由端部１０２ｆがラッチピン１０５の一端側を下方に付勢しており、これにより排出動作に移った場合にラッチピン１０５が所定の経路でハートカム溝１０３ａ内を移動し、正常な動作が可能である。
【０００７】
しかし、スライド部材１０３がロック位置にあるときに、落下等によりカード１１が排出方向の衝撃を受けて、スライド部材１０３がラッチピン１０５を排出方向に強く押すと、図１２（ｂ）に示すように、ラッチピン１０５が撓み持ち上がる。
これは、カードが排出方向に大きな衝撃力を受けると、カードを保持しているスライド部材は、排出方向に押されるものの、ロック位置ではラッチピンの一端側がスライド部材のハートカム溝のロック位置用の凹壁部と係合しているため、ラッチピンはハートカム溝の凹壁部でカードの排出方向に押される。このとき、ラッチピンの他端側はハウジングに保持されているため、ラッチピンは移動できず両端が圧縮される方向の力を受ける。ラッチピンは両端が直線状の中間部に対し両端がＬ字に屈曲した略コの字状のため、両端が圧縮されると中間部が撓み両端部が傾斜しラッチピン１０５が持ち上がることによるものである。
【０００８】
このようにラッチピン１０５が持ち上げられると、ラッチピン１０５は、板バネ部１０２ａを付勢方向とは逆の方向に変形させる。すると、持ち上げられたラッチピン５が板バネ部１０２ａの基端部１０２ｅを押し上げ、基端部１０２ｅが局部的に大きく変形し、最悪の場合には板バネ部１０２ａの基端部１０２ｅは塑性変形する。板バネ部１０２ａの基端部が塑性変形すると、板バネ部１０２ａによる付勢力が弱まりラッチピン１０５を下方に付勢することができなくなるため、ラッチピン１０５はハートカム溝１０３ａの中を所定の経路で移動することができなくなり、正常なカードの挿入、排出操作ができなくなるおそれがあった。  
【先行技術文献】
【特許文献】
【０００９】
【特許文献１】特開２００８−３００２２９号公報
【発明の概要】
【発明が解決しようとする課題】
【００１０】
本発明は、上記事情に鑑みてなされたもので、その目的は、落下等の衝撃を受けてラッチピンが持ち上がることがあっても押えばねの塑性変形を防止でき、カード挿入、排出操作への影響を受けにくく、耐衝撃性を向上することが可能なカード用コネクタを提供するところにある。
【課題を解決するための手段】
【００１１】
上記目的を達成するために本発明は、接続対象物を収容するハウジングと、ハウジングに接続対象物を装着する方向と接続対象物を排出する方向とに移動可能なスライド部材と、スライド部材を排出方向に付勢する付勢部材と、付勢部材の付勢力に抗してスライド部材を接続対象物装着位置に選択的に保持するロック機構とを有し、ロック機構は、スライド部材に設けられたカム溝と、一端側がカム溝内のロック位置と解除位置とに移動し他端側がハウジングに軸支されたラッチピンと、ラッチピンをカム溝に付勢する押さえバネとを備えてなるカード用コネクタにおいて、押さえバネは、基端部と自由端部とを有し、基端部はラッチピンと離間して設けられた支持部材に固定され、自由端部はラッチピンを付勢しており、ラッチピンが支持部材に近接する方向に持ち上がったときにラッチピンが押さえバネの基端部を塑性変形させないように、基端部に逃げ部が設けられていることに特徴を有する。
【００１２】
これにより、本発明では、押さえバネの基端部に逃げ部を設けたことにより、落下した場合等にロック状態で接続対象物に排出方向の衝撃力等が作用しラッチピンが持ち上がることがあっても、ラッチピンが押さえバネの基端部を塑性変形させることを防止でき、カード挿入、排出への影響を低減することが可能となるので、耐衝撃性を向上させることができる。
【００１３】
また、本発明は、押さえバネは片持ちの板バネからなり、板バネの支持側である基端部をラッチピンの他端側に設け、板バネの自由端部をラッチピンの一端側に向けたことに特徴を有する。
【００１４】
これにより、本発明では、挿排動作により高さが変化しないラッチピンの他端側に板バネの基底部を配したので、板バネを固定する支持部材とラッチピンのクリアランスを小さくできるため、カード用コネクタを薄型とすることが可能となる。また、板バネの自由端部を、挿排動作により高さが変化するラッチピンの一端側に向けたので、ラッチピンの高さが変化しても板バネはラッチピンを安定して付勢することができ、安定した挿排動作が可能となる。
【００１５】
また、本発明は、支持部材の一部により板バネを形成したことに特徴を有する。
【００１６】
これにより、本発明では、支持部材と板バネを個別に製作する必要がなく、また板バネを支持部材に固定する必要もないので、部品点数を削減すると共に部品固定工数も削減でき、部品固定による厚さの増加を回避できるので薄型化が可能となる。
【００１７】
また、本発明は、逃げ部は板バネの基端部に隣接する開口からなることに特徴を有する。
【００１８】
これにより、本発明では、逃げ部が板バネに隣接して設けられているので、挿排機構を小さく簡単に形成でき、カード用コネクタの小型化に有利である。
【００１９】
また、本発明は、逃げ部は板バネの基端部に開口した穴であることに特徴を有する。
【００２０】
これにより、本発明では、板バネの基端部の幅の一部に穴を設けるのみで逃げ部が形成でき、挿排機構の構成を簡単にできると共に、逃げ部により分割された板バネの基端部がラッチピンを跨いだ両側に位置するため、板バネが安定してラッチピンを付勢することができる。
【００２１】
また、本発明は、ラッチピンの持ち上がりを規制するストッパーを、板バネの基端部とラッチピンとの中間に設けたことに特徴を有する。
【００２２】
これにより、本発明では、ラッチピンと板バネの基端部との中間にストッパーが設けられているので、ラッチピンが持ち上がっても、ラッチピンが板バネの基端部に接触する前にストッパーがラッチピンの持ち上がりを規制することができるため、板バネの基端部が変形することを回避できる。
【００２３】
また、本発明は、ラッチピンの他端側の持ち上がりをストッパーで規制し、ラッチピンの一端側の持ち上がりを支持部材の一部で規制することに特徴を有する。
【００２４】
これにより、本発明では、ラッチピンの両側で持ち上がりを規制するため、ラッチピンの持ち上がりを確実に規制できる。
【００２５】
また、本発明は、ストッパーは支持部材の一部により形成されていることに特徴を有する。
【００２６】
これにより、本発明では、支持部材とストッパーを個別に製作する必要がなく、またストッパーを支持部材に固定する必要もないので、部品点数を削減すると共に部品固定工数も削減できる。
【００２７】
また、本発明は、ストッパーは逃げ部に突出して設けられていることに特徴を有する。
これにより、本発明では、ストッパーを開口部である逃げ部に設けたので、挿排機構をコンパクトに構成することができる。
【００２８】
また、本発明は、支持部材はハウジングと係合するカバーであることに特徴を有する。
【００２９】
これにより、本発明では、カバーを支持部材としたので、個別に支持部材を設ける必要がなく、構造を簡略化でき薄型化に有利となる。
【００３０】
また、本発明は、前記スライド部材が前記接続対象物装着位置に保持されているとき、前記接続対象物が前記スライド部材に保持される構成に特徴を有する。
【００３１】
これにより、本発明では、落下や使用者による誤操作等により、スライド部材が装着位置にあるにもかかわらず接続対象物が誤って排出されることを防止できる。
【発明の効果】
【００３２】
本発明によれば、押さえバネの基端部に逃げ部を設けたことにより、落下した場合等にロック状態で接続対象物に排出方向の衝撃力等が作用しラッチピンが持ち上がることがあっても、ラッチピンが押さえバネの基端部を塑性変形させることを防止でき、カード挿入、排出への影響を低減することが可能となるので、耐衝撃性を向上させることが可能となる。
【図面の簡単な説明】
【００３３】
【図１】本発明の実施の形態に係るカード用コネクタの外観斜視図である。
【図２】上記実施の形態におけるカード用コネクタのカバーを省略した外観斜視図である。
【図３】上記実施の形態におけるカード用コネクタの構成を示す分解斜視図である。
【図４】上記実施の形態におけるカード用コネクタのハードロック状態を示す外観斜視図である。
【図５】上記実施の形態におけるカード用コネクタのハードロック状態を示す要部の外観斜視図である。
【図６】本発明の実施の形態に係るカード用コネクタの板バネ部付近の要部の外観斜視図である。
【図７】上記実施の形態におけるカード用コネクタを示す図６のＢ−Ｂ断面図であり、（ａ）はロック状態を示す断面図、（ｂ）はラッチピンが圧縮方向の力を受け撓んだ状態を示す断面図である。
【図８】本発明の実施の形態の変形例（１）に係るカード用コネクタであり、（ａ）は板バネ部付近の要部の外観斜視図、（ｂ）は図８（ａ）のＣ−Ｃ断面図である。
【図９】本発明の実施の形態の変形例（２）に係るカード用コネクタであり、（ａ）は板バネ部付近の要部の外観斜視図、（ｂ）は図９（ａ）のＤ−Ｄ断面図である。
【図１０】本発明の実施の形態の変形例（３）に係るカード用コネクタであり、（ａ）は板バネ部付近の要部の外観斜視図、（ｂ）は図１０（ａ）のＥ−Ｅ断面図である。
【図１１】従来技術によるカード用コネクタの板バネ部付近の要部の外観斜視図である。
【図１２】従来技術によるカード用コネクタを示す図１１のＡ−Ａ断面図であり、（ａ）はロック状態を示す断面図、（ｂ）はラッチピンが圧縮方向の力を受け撓んだ状態を示す断面図である。
【図１３】本発明の実施の形態に係るカード用コネクタの装着対象物であるカードの外観斜視図であり、（ａ）は上面側の外観斜視図、（ｂ）は底面側の外観斜視図である。
【発明を実施するための形態】
【００３４】
まず、本発明の実施の形態に係るカード用コネクタについて説明する前に、装着対象物としてのカードについて説明する。
【００３５】
カード１１は記憶媒体として用いられるメモリカードで、外観を図１３に示す。図１３の（ａ）はカード１１の外観斜視図，（ｂ）はカード１１の底面側の外観斜視図である。
【００３６】
図１３（ａ），（ｂ）に示すように、カード１１は平面視で略矩形状の板状の製品で、ひとつのコーナー部に傾斜面１１ａが設けられている。本発明の実施例のカード用コネクタでは傾斜面１１ａが右側奥になる方向が正しい挿入方向である。
また傾斜面１１ａに繋がる長辺部には切り欠き部１１ｂがあり、他方の長辺部にはスライド可能な書き込み保護用のノブ１１ｃが設けられている。また、図１３（ｂ）に見える底面の奥側には、電気接続用の複数のパッド１１ｄが設けられている。
【００３７】
以下、添付図面を参考に、本発明の実施の形態について説明する。
【００３８】
なお、本実施の形態に係るカード用コネクタに装着される接続対象物は、いわゆるメモリカードであるが、本発明はこれに限定されるものではなく、例えば、制御キーや通信機能を付加するため等の他の接続対象物を装着対象とする種々のカード用コネクタに適用することが可能である。
【００３９】
まず、図１および図２を参考に、本発明の実施の形態にかかるカード用コネクタの構成を説明する。
【００４０】
図１はカード用コネクタの外観斜視図である。図１に示すように、カード用コネクタはハウジング１と、ハウジング１に係合されるカバー２により外形が構成され、ハウジング１とカバー２により構成される開口部がカード１１の挿入口１ａとなる。図１に想像線で示すカード１１は、挿入口１ａに図中に示すカード挿入方向１１ｅに挿入され、カード排出方向１１ｆに排出される。
【００４１】
図２は説明のためにカバー２を省略した外観斜視図である。図２に示すように、ハウジング１の右側の壁に近接してスライド部材３がカード挿入，排出方向に摺動可能に組み込まれている。スライド部材３の後端側には排出バネ６が組み込まれており、排出バネ６はスライド部材３を排出方向１１fに向けて付勢する。
【００４２】
スライド部材３の上面には、保持バネ４が組み込まれており、保持バネ４は挿入されたカード１１の切り欠き部１１ｂと係合しカード１１をスライド部材３に保持する。また、ラッチピン５がハウジング１とスライド部材３にまたがるように組み込まれ、スライド部材３がロック位置にスライドさせられると、ラッチピン５は排出バネ６の付勢に抗してスライド部材３をロック位置に保持する。
【００４３】
ハウジング１の左側の壁の略中央部付近には、巻きバネ８（図３参照）が組み込まれたスイッチ部７が組み込まれる。
【００４４】
次に、図３を参考に各部品を説明する。なお、図３ではハウジング１の左側の外壁部の一部を削除し、スイッチ端子１ｇを明示している。
【００４５】
ハウジング１は、成型材等で上方と前方が開口した箱状に形成され、複数の接続端子１ｄがインサート成型にて組み込まれており、これらの複数の接続端子１ｄはハウジング１内で延出し、外部に露出し複数の外部端子１ｅとなる。複数の接続端子１ｄはカード１１がロック位置まで挿入されると、カード１１のパッド１１ｄと電気的に接続する。
【００４６】
ハウジング１の右側壁の内側にはスライドガイド部１ｂを有し、スライドガイド部１ｂの前方には丸穴部１ｃを有する。また、左側壁部には窪み部１ｆと２つのスイッチ端子１ｇを有しており、２つのスイッチ端子１ｇはハウジング１内で延出し、外部に露出し複数の外部端子１ｅとなる。
【００４７】
スライドガイド部１ｂはスライド部材３を摺動可能に保持する溝部である。また、丸穴部１ｃはラッチピン５の他方側の端部を回動可能に保持する。
【００４８】
窪み部１ｆには書き込み保護を検出するスイッチ部７が収納される。カード１１のノブ１１ｃが書き込み不可の位置にあると、スイッチ部７に組み込まれた巻きバネ８により２つのスイッチ端子１ｇは短絡される。
【００４９】
カバー２はステンレス等の金属板で略矩形状に形成され、奥側の辺および左右両辺の３辺に折り曲げられた壁部を有する。上面の右側壁近傍にはカード挿入口１ａ側を基端部２ｅとしてカバー２と一体化されると共に、カード挿入方向１１ｅに向けて自由端部２ｆが形成された板バネ部２ａを有している。そして、板バネ部２ａの根元側には開口を設け逃げ部２ｂとしている。また上面の右側壁部側の略中央には保持バネ規制突起部２ｃを有する。
【００５０】
板バネ部２ａはラッチピン５が後述するハートカム溝３ａ内を所定の経路で移動するように、ラッチピン５をハートカム溝３ａの底部方向に付勢している。また保持バネ規制突起部２ｃは、スライド部材３がロック位置にあるときに、保持バネ４の変形を規制する。
【００５１】
本実施例ではカバー２を支持部材として用い、カバー２に板バネ部２ａを一体形成したので、板バネ部品を別部品として製作する必要が無い。また板バネ部品を別部品としてカバー２に取り付ける必要も無く、更に、板バネ取り付け用にカバー２と異なる新たな部品を製作する必要もないため、取り付けによる高さ寸法の増加を回避できカード用コネクタの薄型化に有効である。また、部品の取り付け工数の増加を回避できる。
【００５２】
スライド部材３は成形材等により略Ｌ字形に形成されており、Ｌ字形のコーナー部に傾斜部３ｂを有すると共に、Ｌ字形の奥側の辺がストッパー部３ｃとなっている。また、Ｌ字形の手前側の長辺の奥側に排出バネ保持溝３ｅと角穴部３ｄを有し、長辺の手前側にはハートカム溝３ａを有する。
【００５３】
傾斜部３ｂはカード１１が正しい方向で挿入されたときにカード１１の傾斜面１１ａと当接する。また、ストッパー部３ｃはカード１１の奥側の端面と当接し、挿入時にはカード１１により押し込まれ、排出時にはストッパー部３ｃがカード１１を押し出す。
【００５４】
ハートカム溝３aは、閉じた環状に連続する溝形状で、ラッチピン５が溝内を一方向にのみ移動するように段差が溝内に形成されている。この溝部３aを更に詳しく述べると、溝部３aは、スライド部材３が挿入方向に移動するときにラッチピン５の一方端が通過する挿入用溝経路と、スライド部材３が排出方向に移動するときにラッチピン５の一方端が通過する排出用溝経路と、挿入用溝経路と排出用溝経路を接続する略Ｖの字形状のロック用溝経路を有し、このロック用溝経路にはスライド部材３がロック状態となるときにラッチピン５を保持するロック壁部３ｍが形成されている。
排出バネ保持溝３ｅには排出バネ６が挿入され、排出バネ６の一端が排出バネ保持溝３ｅの壁部を押すことによりスライド部材３を排出方向に付勢する。また角穴部３ｄには保持バネ４の系止部４ｃが保持される。
【００５５】
排出バネ６はバネ用ステンレス鋼線等からなる圧縮バネで、ハウジング１の内壁と排出バネ保持溝３ｅの壁部の間で圧縮されることにより、スライド部材３を排出方向に付勢する。
【００５６】
ラッチピン５はバネ用ステンレス鋼線等で、直線状の中間部の両端がＬ字状に屈曲した略コの字状に形成されている。ラッチピン５の一端側はハートカム溝３ａに移動可能に係合し、他端側はハウジング１の丸穴部１ｃに回転可能に保持されており、スライド部材３がロック位置に来たときに、ラッチピン５はハートカム溝３aのロック壁部３ｍに当接し、排出バネ６の付勢に抗してスライド部材３をロック位置に保持する。
【００５７】
保持バネ４は金属板等で略板状に形成され、一端に突出部４ａを有し突出部４ａの先端は更に延出し、規制部４ｂとなる。また他端は折り曲げられ、更に下方に延出し、係止部４ｃとなる。
【００５８】
突出部４ａはカード１１の切り欠き部１１ｂと係合し、カード１１をスライド部材３に保持する。規制部４ｂはスライド部材３がロック位置にあるときに、カバー２の保持バネ規制突起部２ｃと対向し、ロック状態での保持バネ４の変形を規制し、ロック状態で突出部４ａが切り欠き部１１ｂから外れないようにする。係止部４ｃはスライド部材３の角穴部３ｄに挿入され、保持バネ４をスライド部材３に固定する。
【００５９】
スイッチ部７は成型材等で略直方体に形成され、一端側に保持軸７ｃを有し、他端側の一側面に巻きバネ保持柱７ｂを有し、対向する側面に山形のカム部７ａを有する。
【００６０】
カム部７ａは、カード１１の書き込み保護用のノブ１１ｃが書き込み不可の位置にある場合にノブ１１ｃにより押し下げられる。また、ノブ１１ｃが書き込み可の位置にあるときにはカム部７ａはノブ１１ｃとは当接せず、カム部７ａの高さは変化しない。
【００６１】
巻きバネ保持柱７ｂは後述する巻きバネ８を保持する。また、保持軸７ｃはハウジング１の穴部と係合し、スイッチ部７の押し下げ動作の回転軸となる。
【００６２】
巻きバネ８は両端に腕部を有するねじりバネで、スイッチ部７を上方に付勢する。また、カード１１の書き込み保護用のノブ１１ｃによりカム部７ａが押し下げられると、巻きバネ８も下げられ、このとき巻きバネ８の両側の腕部の角度が拡がり、両側のうで部がハウジング１の２つのスイッチ端子１ｇ間を短絡する。
【００６３】
次に、カード用コネクタにカード１１が挿入されたときの各部品の挙動を説明する。
【００６４】
カード用コネクタにカード１１が入っていないときには、スライド部材３は排出バネ６により前方に押し出され、スライドガイド部１ｂの前方の壁部に当接して停止しており、カード用コネクタは排出状態となっている。
【００６５】
カード１１が挿入されると、最初に保持バネ４の突出部４ａがカード１１の傾斜面１１ａに当接し、保持バネ４はカード１１から離れる方向に弾性変形させられる。
【００６６】
カード１１が更に挿入されると、やがて突出部４ａとカード１１の切り欠き部１１ｂの位置が合致し、突出部４ａが切り欠き部１１ｂに係合し、保持バネ４がカード１１に近づく方向に戻る。同時に、カード１１の奥側の辺がスライド部材３のストッパー部３ｃに当接する。
【００６７】
さらにカード１１を挿入し続けると、カード１１の奥側の辺とストッパー部３ｃが当接しているので、スライド部材３は排出バネ６の付勢に抗しながら奥側に押し込まれ、ハートカム溝３ａと係合したラッチピン５の一端側はハートカム溝３ａの中を移動する。やがてスライド部材３の後端面がハウジング１の奥側の壁の内壁に当接し、スライド部材３が停止しカード１１の挿入が完了する。
【００６８】
この後、カード１１への挿入力が取り除かれると、スライド部材３は排出バネ６により排出方向に押し戻されるが、ハートカム溝３ａと係合したラッチピン５の一端側は挿入時とは異なる経路にてハートカム溝３ａの中を戻り、ラッチピン５はハートカム溝３ａのロック位置用の凹壁部に保持される。
【００６９】
ラッチピン５の他端側はハウジング１の丸穴部１ｃに保持されているので、ラッチピン５の一端側がハートカムのロック位置用の凹壁部に保持されことによりスライド部材３はロック位置に固定され、カード用コネクタはロック状態となる。
【００７０】
図４はカード１１が挿入されたロック状態にあるカード用コネクタの外観斜視図で、図５は保持バネ規制突起部２ｃ付近の拡大図である。なお、説明のために図４および図５では保持バネ規制突起部２ｃ付近のカバー２の上面の一部を削除して表示している。
【００７１】
スライド部材３がスライド移動しカード用コネクタがロック状態になると、スライド部材３の移動に伴い、スライド部材３に組み込まれた保持バネ４も移動し、図４および図５に示すように、保持バネ４の規制部４ｂとカバー２の保持バネ規制突起部２ｃが僅かな隙間を持って対向する。
【００７２】
スライド部材３がロック位置にあるときにカード１１を無理に引き抜こうとすると、カード１１の切り欠き部１１ｂに係合している保持バネ４の突出部４ａが飛び出そうとし、保持バネ４はカード１１から離れる方向に弾性変形しようとする。しかし、保持バネ４の規制部４ｂとカバー２の保持バネ規制突起部２ｃには僅かな隙間しかないため、保持バネ４はごく僅かしか開放方向に変形できず、突出部４ａは切り欠き部１１ｂに係合したままとなり、カード１１はスライド部材３から外れない。
【００７３】
これをハードロック状態と呼称し、この状態ではカード１１をスライド部材３から抜くことはできない。これによりロック状態で使用者が誤ってカード１１を直接引き抜く等の事故を防止することができる。
【００７４】
次に、図６から図７を参考に、カード１１が挿入されロック状態となっているカード用コネクタが、落下等により排出方向に衝撃を受けた場合の挙動を説明する。
図６は本発明の実施の形態に係るカード用コネクタの板バネ部２ａ付近を示す外観斜視図である。
また、図７は図６のＢ−Ｂ断面図で、図７（ａ）はスライド部材３がロック位置に保持されている状態を示し、図７（ｂ）はスライド部材３がロック位置に保持されている状態で、ラッチピン５の両端に圧縮する方向の力がかかり、ラッチピン５が撓み持ち上がった状態を示す。
【００７５】
ロック状態で、カード１１に排出方向の強い衝撃がかかると、カード１１は排出方向に移動しようとするが、前述の通り、カード１１とスライド部材３との係合が維持されたハードロック状態となっているため、カード１１はスライド部材３を一緒に排出方向に移動させようとする。
しかし、スライド部材３のハートカム溝３ａのロック位置用の凹壁部とラッチピン５の一端側が係合しており、ラッチピン５の他端側がハウジング１の丸穴部１ｃに保持されているため、スライド部材３は移動できず、ラッチピン５の両端には圧縮する方向の力がかかる。
【００７６】
ラッチピン５は略コの字状をしているため、両端が圧縮されると中間部が撓んで両端部が傾斜し、最悪の場合にはラッチピン５がハートカム溝３ａから離れる方向に持ち上げられる。
【００７７】
しかし、本発明の実施の形態に係るカード用コネクタでは、図６に示すように板バネ部２ａの基端部２ｅ付近に逃げ部２ｂを設けており、図７の（ａ）に示すように、板バネ部２ａの根元付近ではラッチピン５の上方が逃げ部２ｂにより開放されている。
【００７８】
したがって、スライド部材３でラッチピン５が排出方向に強く押され、ラッチピン５が撓みハートカム溝３ａから持ち上がった場合でも、図７の（ｂ）に示すように、板バネ部２ａの基端部２ｅとラッチピン５は接触せず、板バネ部２ａの自由端部２ｆが押し上げられるのみである。
【００７９】
そのため、板バネ部２ａに局部的な変形は起きないので板バネ部２ａの塑性変形は発生せず、カード挿排機能は維持される。
【００８０】
以上より、本発明の実施の形態に係るカード用コネクタでは、落下等によりカード１１にカード排出方向の強い力がかかっても、板バネ部２ａが塑性変形することを防止できるので、カード挿入、排出への影響を低減でき、コネクタ内へのカードのロックおよびロック解除を引き続き行うことができる。そのため、カード用コネクタの耐衝撃性を向上させることが可能となる。
【００８１】
なお、上記の実施の形態では、板バネ部２ａはカバー２の一部として説明したが、板バネ部を別部品としてカバー２に固定しても同様な効果が得られる。また、カバー２とは別部品からなる板バネ部取り付け部品を支持部材として使用してもよく、さらには板バネ取り付け部品と板バネを一体としても同様な効果が得られる。
【００８２】
＜変形例＞
本発明の実施の形態にかかわる第１の変形例を、図８の（ａ）および（ｂ）を参照して説明する。なお、実施の形態と同一の構成については、同一符号を付して詳細な説明は省略する。
【００８３】
図８の（ａ）に示す本発明の実施の形態にかかわる第１の変形例では、板バネ部２ａの基端部２ｅを、ラッチピン５のハウジング１の丸穴部１ｃに回転可能に保持された他端側とし、板バネ部２ａの自由端部２ｆを、ラッチピン５のラッチピン５の一端側はハートカム溝３ａに移動可能に係合した一端側としてカバー２に形成されている。基端部２ｅに隣接した逃げ部２ｂ内のラッチピン５の上方となる位置にラッチピン５の他端側のストッパー２ｄを設け、またラッチピン５の一端側のカバー２の開口部の一辺をラッチピン５の一端側のストッパーとした。
【００８４】
ラッチピン５の他端側は丸穴部１ｃと係合しながら回転するため、他端側の高さは変化しない。したがってラッチピン５の他端側のストッパー２ｄは、ラッチピン５の上面のごく近傍とすることが可能である。これに対し、ラッチピン５の一端側は、一端側の先端がハートカム溝３ａの底部と当接するため、ハートカム溝３ａ内を移動する際に高さが変化する。このため、ラッチピン５の一端側のストッパーは、他端側のストッパー２ｄよりラッチピン５との間隔を広めとする必要があり、ストッパー２ｄより高い位置にあるカバー２をラッチピン５の一端側のストッパーとすると好適である。
【００８５】
なお、逃げ部２ｂ内に設けたラッチピン５の他端側のストッパー２ｄは、逃げ部２ｂの一辺の一部を延出し、のち下方に折り曲げ更に水平に折り曲げ、図８の（ｂ）に示すように、断面形状で略Ｚ字形状の突出部とし、ストッパー２ｄの最下面は板バネ部２ａの下面よりラッチピン５に近接している。
【００８６】
これらの、逃げ部２ｂ内に設けたストッパー２ｄおよびカバー２によるストッパーにより、ラッチピン５の一端側および他端側の持ち上がりを規制することができる。また、ラッチピン５が撓んだ場合でもラッチピン５は板バネ部２ａの自由端部２ｆと接触するため、基端部２ｅが局部的な変形をすることがなく、板バネ部２ａが塑性変形することを防止できる。従って、カード挿入、排出への影響を低減でき、コネクタ内へのカードのロックおよびロック解除を引き続き行うことができる。そのため、カード用コネクタの耐衝撃性を向上させることが可能となるという本願発明の効果を奏する。
【００８７】
本発明の実施の形態にかかわる第２の変形例を、図９の（ａ）および（ｂ）を参照して説明する。なお、実施の形態と同一の構成については、同一符号を付して詳細な説明は省略する。
【００８８】
図９の（ａ）に示す本発明の実施の形態にかかわる第２の変形例では、板バネ部２ａの基端部２ｅを幅広とし、板バネ部２ａの基端部２ｅの幅の略中央に開口部を設け逃げ部２ｂとし、逃げ部２ｂの一部にラッチピン５の他端側のストッパー２ｄを設けた。また、カバー２の開口部の一辺をラッチピン５の一端側のストッパーとした。
【００８９】
逃げ部２ｂ内のストッパー２ｄは、逃げ部２ｂの一辺の一部を延出し、のち下方に折り曲げ更に水平に折り曲げ、図９の（ｂ）に示すように、断面形状で略Ｚ字形状の突出部とし、ストッパー２ｄの最下面は板バネ部２ａの下面よりラッチピン５に近接している。
【００９０】
これによりラッチピン５の一端側および他端側の持ち上がりを規制できると共に、板バネ部２ａの基端部２ｅがラッチピン５を跨ぐ形状となるため、ラッチピン５の左右に板バネ部２ａの弾性変形領域ができ、板バネはねじれずに安定してラッチピン５を付勢できる。そのため、板バネ部２ａの塑性変形を防止することができ、カード挿入、排出への影響を低減できるので、カード用コネクタの耐衝撃性を向上することができる。
【００９１】
本発明の実施の形態にかかわる第３の変形例を、図１０の（ａ）および（ｂ）を参照して説明する。なお、実施の形態と同一の構成については、同一符号を付して詳細な説明は省略する。
【００９２】
図１０の（ａ）に示す本発明の実施の形態にかかわる第３の変形例では板バネ部２ａの基端部２ｅを幅広とし、板バネ部２ａの基端部２ｅの幅の中間に開口部を設け逃げ部２ｂとした。これにより、板バネ部２ａの基端部２ｅがラッチピン５を跨ぐ形状となり、ラッチピン５の左右に板バネ部２ａの弾性変形領域ができるため、板バネはねじれずに安定してラッチピン５を付勢できる。そのため、板バネ部２ａの塑性変形を防止することができ、カード挿入、排出への影響を低減できるので、カード用コネクタの耐衝撃性を向上することができる。
【００９３】
また、本発明の実施の形態にかかわる第３の変形例では図１０の（ｂ）に示すように、板バネ部２ａの基端部２ｅの近傍のカバー２にバーリング加工等の絞り加工等にてラッチピン５の他端側のストッパー２ｄを形成し、カバー２の開口部の一辺をラッチピン５の一端側のストッパーとした。
【００９４】
これによりラッチピン５の一端側および他端側の持ち上がりを規制できると共に、ラッチピン５の他端側のストッパー２ｄを板バネ部２ａの基端部２ｅ以外のカバー２に設けたことにより、逃げ部２ｂの幅を最小限にする事ができ、板バネ部２ａの基端部２ｅの幅を小さくすることができ、小型化に有効である。
【００９５】
なお、上記の本発明の実施の形態にかかわる第１の変形例から第３の変形例では、カバー２の一部を形成してストッパー２ｄとしたが、ストッパーは別部品としても良く、またはカバー２以外の部品にストッパーを固定しても良い。
【符号の説明】
【００９６】
１            ハウジング
１ａ          挿入口
１ｂ          スライドガイド部
１ｃ          丸穴部
１ｄ          接続端子
１ｅ          外部端子
１ｆ          窪み部
１ｇ          スイッチ端子
２            カバー（支持部材）
２ａ          板バネ部（押さえバネ）（板バネ）
２ｂ          逃げ部
２ｃ          保持バネ規制突起部
２ｄ          ストッパー
２ｅ          基端部
２ｆ          自由端部
３            スライド部材
３ａ          ハートカム溝
３ｂ          傾斜部
３ｃ          ストッパー部（ストッパー）
３ｄ          角穴部
３ｅ          排出バネ保持溝
４            保持バネ
４ａ          突出部
４ｂ          規制部
４ｃ          系止部
５            ラッチピン
６            排出バネ（付勢部材）
７            スイッチ部
７ａ          カム部
７ｂ          巻きバネ保持柱
７ｃ          保持軸
８            巻きバネ（付勢部材）
１１          カード（接続対象物）
１１ａ        傾斜面
１１ｂ        切り欠き部
１１ｃ        ノブ
１１ｄ        パッド
１１ｅ        カード挿入方向
１１ｆ        カード排出方向
１０１        ハウジング
１０２        カバー
１０２ａ      板バネ部
１０３        スライド部材
１０３ａ      ハートカム溝
１０５        ラッチピン
【図１】
2012164504.tif 000003
【図２】
2012164504.tif 000004
【図３】
2012164504.tif 000005
【図４】
2012164504.tif 000006
【図５】
2012164504.tif 000007
【図６】
2012164504.tif 000008
【図７】
2012164504.tif 000009
【図８】
2012164504.tif 000010
【図９】
2012164504.tif 000011
【図１０】
2012164504.tif 000012
【図１１】
2012164504.tif 000013
【図１２】
2012164504.tif 000014
【図１３】
2012164504.tif 000015